(57)【要約】【課題】空調機の運用を改善する必要性を容易に把握することができる空調機運用管理システムを提供する。【解決手段】空調機運用管理システム１０は、空調機１４の運用データに基づいて、空調機１４の運用の改善指標Ｓを算出する改善指標算出部３０と、この算出部３０により算出された改善指標Ｓに基づいて、空調機１４の順位を付ける空調機順位付部３２と、この順位付部３２により順位を付けられた空調機１４の一覧を出力する出力部３４とを有する。この構成により、運用の改善を必要とする空調機１４が、数値化された改善指標Ｓにより順位を付けられるので、空調機１４の運用を改善する必要性を容易に把握することができる。【選択図】図１
2011012873.tif 000002
【特許請求の範囲】
【請求項１】
空調機の運用を管理する空調機運用管理システムにおいて、
空調機の運用データに基づいて、空調機の運用の改善指標を算出する改善指標算出部と、
改善指標算出部により算出された改善指標に基づいて、空調機の順位を付ける空調機順位付部と、
空調機順位付部により順位を付けられた空調機の一覧を出力する出力部と、
を有することを特徴とする空調機運用管理システム。
【請求項２】
請求項１に記載の空調機運用管理システムにおいて、
運用データは、運転モードと、空調機の管理温度と、室内の設定温度とを含み、
改善指標算出部は、運転モードと、管理温度と設定温度の温度差とに基づいて改善指標を算出する、
ことを特徴とする空調機運用管理システム。
【請求項３】
請求項２に記載の空調機運用管理システムにおいて、
改善指標算出部は、同一の運転モードである場合、管理温度が設定温度より高いときに算出される改善指標と、管理温度が設定温度より低いときに算出される改善指標とには異なる符号をそれぞれ付け加え、
空調機順位付部は、同じ符号を付された改善指標ごとに、空調機の順位をそれぞれ付ける、
ことを特徴とする空調機運用管理システム。
【請求項４】
請求項３に記載の空調機運用管理システムにおいて、
改善指標算出部は、前記温度差が増大するにつれて、数値が大きくなるように改善指数を算出し、
空調機順位付部は、改善指数を降順に並べることにより、空調機の順位を付け、
出力部は、改善指標に付与される符号に基づいて、運用の改善度合いが高い空調機の一覧と、省エネの貢献度合いが高い空調機の一覧とを出力する、
ことを特徴とする空調機運用管理システム。
【請求項５】
請求項４に記載の空調機運用管理システムにおいて、
改善指標算出部は、運転モードが冷房であり、かつ管理温度が設定温度より高い場合と、運転モードが暖房であり、かつ管理温度が設定温度より低い場合とに算出される改善指標には同じ符号を付け加え、
出力部は、この符号が付与される改善指標により順位を付けられた空調機の一覧を、運用の改善度合いが高い空調機の一覧として出力する、
ことを特徴とする空調機運用管理システム。
【請求項６】
請求項４または５に記載の空調機運用管理システムにおいて、
改善指標算出部は、運転モードが冷房であり、かつ管理温度が設定温度より低い場合と、運転モードが暖房であり、かつ管理温度が設定温度より高い場合とに算出される改善指標には同じ符号を付け加え、
出力部は、この符号が付与される改善指標により順位を付けられた空調機の一覧を、省エネの貢献度合いが高い空調機の一覧として出力する、
ことを特徴とする空調機運用管理システム。
【請求項７】
請求項４から６のいずれか１つに記載の空調機運用管理システムにおいて、
運用データは、さらに、空調機の運転時間を含み、
改善指標算出部は、さらに、前記温度差が生じている間の空調機の運転時間である管理温度外運転時間に基づいて改善指標を算出する、
ことを特徴とする空調機運用管理システム。
【請求項８】
請求項７に記載の空調機運用管理システムにおいて、
改善指標算出部は、管理温度外運転時間が増大するにつれて、または前記温度差と管理温度外運転時間がともに増大するにつれて数値が大きくなるように改善指数を算出する、
ことを特徴とする空調機運用管理システム。
【請求項９】
請求項１に記載の空調機運用管理システムにおいて、
空調機の運用データは、所定の管理時間外における空調機の運転時間である管理時間外運転時間を含み、
改善指標算出部は、管理時間外運転時間に基づいて、改善指標を算出する、
ことを特徴とする空調機運用管理システム。
【請求項１０】
請求項９に記載の空調機運用管理システムにおいて、
改善指標算出部は、管理時間外運転時間が増大するにつれて、数値が大きくなるように改善指数を算出し、
空調機順位付部は、改善指数を降順に並べることにより、空調機の順位を付け、
出力部は、改善指標により順位を付けられた空調機の一覧を、運用の改善度合いが高い空調機の一覧として出力する、
ことを特徴とする空調機運用管理システム。
【請求項１１】
請求項１０に記載の空調機運用管理システムにおいて、
空調機の運用データは、さらに、運転モードと、空調機の運転時間帯における外気温度とを含み、
改善指標算出部は、さらに、運転モードと管理時間外運転時間帯における外気温度とに基づいて改善指標を算出する、
ことを特徴とする空調機運用管理システム。
【請求項１２】
請求項１１に記載の空調機運用管理システムにおいて、
改善指標算出部は、運転モードが冷房である場合、管理時間外運転時間における外気温度が高くなるにつれて、そして運転モードが暖房である場合、管理時間外運転時間における外気温度が低くなるにつれて、数値が大きくなるように改善指数を算出する、
ことを特徴とする空調機運用管理システム。
【請求項１３】
請求項１から１２のいずれか１つに記載の空調機運用管理システムにおいて、
空調機の運用データを記憶する記憶部と、
設定された所定の条件に基づいて、記憶部に記憶された運用データから改善指標算出部に用いられる運用データを検索する検索部と、
を有することを特徴とする空調機運用管理システム。
【請求項１４】
請求項１３に記載の空調機運用管理システムにおいて、
所定の条件は、期間を含み、
検索部は、設定された所定の期間内に使用された空調機の運用データを検索する、
ことを特徴とする空調機運用管理システム。
【請求項１５】
請求項１４または１５に記載の空調機運用管理システムにおいて、
所定の条件は、部屋の用途を含み、
検索部は、設定された部屋の用途に使用される空調機の運用データを検索する、
ことを特徴とする空調機運用管理システム。
【請求項１６】
請求項１３から１５のいずれか１つに記載の空調機運用管理システムにおいて、
所定の条件は、運用データを検索対象から除外する除外条件を含み、
検索部は、設定された除外条件に対応する運用データを検索対象から除外して、運用データを検索する、
ことを特徴とする空調機運用管理システム。
【請求項１７】
請求項１から１６のいずれか１つに記載の空調機運用管理システムにおいて、
出力部は、さらに、空調機の一覧の中から選択された空調機の詳細な運用データを出力する、
ことを特徴とする空調機運用管理システム。
【発明の詳細な説明】
【技術分野】
【０００１】
本発明は、空調機の運用を管理する空調機運用管理システムに関する。
【背景技術】
【０００２】
近年、地球温暖化により地球環境の悪化が心配されている。地球温暖化を抑制し地球環境を保全するためには、世界的な規模で二酸化炭素の排出量を削減する行動が重要であると認識されている。
【０００３】
このような状況の中、二酸化炭素の排出量を削減するために、企業においては、電力などのエネルギ消費の削減、いわゆる省エネルギ（以下、単に省エネと記す）を促進する取り組みが行われている。しかも、省エネの促進は、地球環境の悪化を抑制するという環境的な立場のみならず、エネルギ消費にかかるコストを削減するといった経済的な側面も有する。
【０００４】
このため、企業においては、無駄なエネルギ消費を排除するために様々な取り組みが行なわれており、企業の建物または店舗などに設置される空調機の運用にも省エネ対策が施されている。この省エネ対策には、残業など勤務時間外や店舗閉店後における空調機を停止する対策、または室内の設定温度を固定する対策などがある。また、空調機の運用を管理するシステムにおいては、無駄なエネルギ消費をしている空調機の一覧を出力して、管理者に対して、それらの空調機の運用を改善する必要性を認識させる例がある。
【０００５】
下記特許文献１には、不快指数またはＰＭＶ値などの室内環境の快適度に基づいて、空調機の消費電力を低減するように空調機を制御するとともに、空調機を遠隔から監視する省エネルギ制御システムが記載されている。
【０００６】
下記特許文献２には、空調機の運転状況に関する空調機データから、空調機の消費電力量に着目して空調設備を監視する監視装置が記載されている。
【先行技術文献】
【特許文献】
【０００７】
【特許文献１】特開２００４−１１８３６６号公報
【特許文献２】特開２００８−１３４０３９号公報
【発明の概要】
【発明が解決しようとする課題】
【０００８】
従来の空調機の運用を管理するシステムは、空調機の運用を改善する必要性を管理者に認識させるために、無駄なエネルギ消費をしている空調機を選定する例がある。具体的には、このシステムは、管理基準外で運転をしている空調機、例えば管理時間外の運転をしている空調機、または所定の温度より低い設定温度で冷房運転をしている空調機などを、無駄なエネルギ消費をしている空調機として選定する。このため、選定された空調機の中には、利用者の止むを得ない事情により管理基準外での運転を余儀なくされた空調機が含まれてしまう可能性があった。すなわち、従来のシステムでは、空調機の運用を改善する必要性があるとして選定された空調機の中に、その必要性がない空調機が含まれてしまう可能性があった。そうすると、管理者は、選定された空調機の一覧を見ただけで空調機の運用を改善する必要性の有無または優先度合いを把握することができない。その結果、管理者は、その空調機の一覧に基づいて空調機の運用状況を詳しく調査しなければならず、手間がかかるという問題があった。
【０００９】
本発明の目的は、空調機の運用を改善する必要性を容易に把握することができる空調機運用管理システムを提供することにある。
【課題を解決するための手段】
【００１０】
本発明は、空調機の運用を管理する空調機運用管理システムにおいて、空調機の運用データに基づいて、空調機の運用の改善指標を算出する改善指標算出部と、改善指標算出部により算出された改善指標に基づいて、空調機の順位を付ける空調機順位付部と、空調機順位付部により順位を付けられた空調機の一覧を出力する出力部と、を有することを特徴とする。
【００１１】
また、運用データは、運転モードと、空調機の管理温度と、室内の設定温度とを含み、改善指標算出部は、運転モードと、管理温度と設定温度の温度差とに基づいて改善指標を算出することができる。
【００１２】
また、改善指標算出部は、同一の運転モードである場合、管理温度が設定温度より高いときに算出される改善指標と、管理温度が設定温度より低いときに算出される改善指標とには異なる符号をそれぞれ付け加え、空調機順位付部は、同じ符号を付された改善指標ごとに、空調機の順位をそれぞれ付けることができる。
【００１３】
また、改善指標算出部は、前記温度差が増大するにつれて、数値が大きくなるように改善指数を算出し、空調機順位付部は、改善指数を降順に並べることにより、空調機の順位を付け、出力部は、改善指標に付与される符号に基づいて、運用の改善度合いが高い空調機の一覧と、省エネの貢献度合いが高い空調機の一覧とを出力することができる。
【００１４】
また、改善指標算出部は、運転モードが冷房であり、かつ管理温度が設定温度より高い場合と、運転モードが暖房であり、かつ管理温度が設定温度より低い場合とに算出される改善指標には同じ符号を付け加え、出力部は、この符号が付与される改善指標により順位を付けられた空調機の一覧を、運用の改善度合いが高い空調機の一覧として出力することができる。
【００１５】
また、改善指標算出部は、運転モードが冷房であり、かつ管理温度が設定温度より低い場合と、運転モードが暖房であり、かつ管理温度が設定温度より高い場合とに算出される改善指標には同じ符号を付け加え、出力部は、この符号が付与される改善指標により順位を付けられた空調機の一覧を、省エネの貢献度合いが高い空調機の一覧として出力することができる。
【００１６】
また、運用データは、さらに、空調機の運転時間を含み、改善指標算出部は、さらに、前記温度差が生じている間の空調機の運転時間である管理温度外運転時間に基づいて改善指標を算出することができる。
【００１７】
また、改善指標算出部は、管理温度外運転時間が増大するにつれて、または前記温度差と管理温度外運転時間がともに増大するにつれて数値が大きくなるように改善指数を算出することができる。
【００１８】
また、空調機の運用データは、所定の管理時間外における空調機の運転時間である管理時間外運転時間を含み、改善指標算出部は、管理時間外運転時間に基づいて、改善指標を算出することができる。
【００１９】
また、改善指標算出部は、管理時間外運転時間が増大するにつれて、数値が大きくなるように改善指数を算出し、空調機順位付部は、改善指数を降順に並べることにより、空調機の順位を付け、出力部は、改善指標により順位を付けられた空調機の一覧を、運用の改善度合いが高い空調機の一覧として出力することができる。
【００２０】
また、空調機の運用データは、さらに、運転モードと、空調機の運転時間帯における外気温度とを含み、改善指標算出部は、さらに、運転モードと管理時間外運転時間帯における外気温度とに基づいて改善指標を算出することができる。
【００２１】
また、改善指標算出部は、運転モードが冷房である場合、管理時間外運転時間における外気温度が高くなるにつれて、そして運転モードが暖房である場合、管理時間外運転時間における外気温度が低くなるにつれて、数値が大きくなるように改善指数を算出することができる。
【００２２】
また、空調機の運用データを記憶する記憶部と、設定された所定の条件に基づいて、記憶部に記憶された運用データから改善指標算出部に用いられる運用データを検索する検索部と、を有することができる。
【００２３】
また、所定の条件は、期間を含み、検索部は、設定された所定の期間内に使用された空調機の運用データを検索することができる。
【００２４】
また、所定の条件は、部屋の用途を含み、検索部は、設定された部屋の用途に使用される空調機の運用データを検索することができる。
【００２５】
また、所定の条件は、運用データを検索対象から除外する除外条件を含み、検索部は、設定された除外条件に対応する運用データを検索対象から除外して、運用データを検索することができる。
【００２６】
また、出力部は、さらに、空調機の一覧の中から選択された空調機の詳細な運用データを出力することができる。
【発明の効果】
【００２７】
本発明の空調機運用管理システムによれば、運用の改善を必要とする空調機が、数値化された改善指標により順位を付けられるので、空調機の運用を改善する必要性を容易に把握することができる。
【図面の簡単な説明】
【００２８】
【図１】本実施形態の空調機運用管理システムの構成を示す図である。
【図２】空調機の運用データを検索する検索画面の一例を示す図である。
【図３】改善指標算出部の算出方法の一例を示す図である。
【図４】出力部３４により出力された空調機の一覧の一例を示す図である。
【発明を実施するための形態】
【００２９】
以下、本発明に係る空調機運用管理システムの実施形態について、図を用いて説明する。一例として、遠隔から監視される一つの建物を挙げ、この建物に設けられる空調機の運用を管理する空調機運用管理システムについて説明する。なお、本発明は、この態様に限らず、複数の建物にそれぞれ設けられる空調機、または複数のテナントにそれぞれ設けられる空調機を対象にする空調機運用管理システムにも適用することができる。
【００３０】
図１は、本実施形態の空調機運用管理システム（以下、単にシステムと記す）１０の構成を示す図である。システム１０は、建物１２に設けられる空調機１４の運用を管理する装置であり、空調機１４の運用を遠隔から監視する中央監視センタ１６を有する。建物１２と中央監視センタ１６とは、通信回線１８を介して接続されている。
【００３１】
通信回線１８は、有線方式あるいは無線方式で構成される。また、両者を混用することも可能である。通信回線１８は、公衆の便に供される共用通信回線であっても、独自の専用の通信回線であってもよい。また、両者を混用することも可能である。
【００３２】
建物１２は、例えばオフィスビル、または建物の一区画のテナントである。空調機１４は、建物１２の室内の冷房および暖房を行う装置である。空調機１４には、空調機１４を操作するリモコン（図示せず）が接続されている。リモコンは、空調機１４の運転及び停止、室内の設定温度の調整、風向き及び風速の調整などを行うことができる。
【００３３】
建物１２は、空調機１４を管理する空調機管理部２０と、通信回線１８に接続し中央監視センタ１６と信号の送受信を行う送受信部２２とを有する。空調機管理部２０は、空調機１４の状態と異常と故障の監視、空調機１４の動作の制御、または、空調機１４の運用データの収集などを行って空調機１４を管理する。そして、空調機管理部２０は、運用データを、送受信部２２と通信回線１８を介して中央監視センタ１６に送信する。
【００３４】
運用データは、外気温度、室内温度、空調機１４の運転モード、空調機１４の運転時間、空調機１４の管理温度、そして室内の設定温度などを含み、これらのデータは所定の時間（例えば５分）毎に空調機管理部２０に収集される。空調機１４の運転モードとは、冷房運転および暖房運転のことである。空調機１４の管理温度とは、空調機１４の運用を管理する管理者が管理基準として定める室内の温度のことであり、管理温度は、室内の用途、季節または省エネの取り組み度合いにより設定される。室内の設定温度とは、室内を利用する利用者が、上述したリモコンの操作により設定する室内の温度のことである。なお、空調機１４は、管理基準として定められる管理温度ではなく、実際にリモコンにより設定される設定温度に基づいて動作する。
【００３５】
中央監視センタ１６は、通信回線１８に接続し建物１２と信号の送受信を行う送受信部２４を有する。送受信部２４は、建物１２の空調機管理部２０から送受信部２２と通信回線１８を介して送信された運用データを受信する。
【００３６】
また、中央監視センタ１６は、送受信部２４で受信した運用データを記憶する記憶部２６と、設定された所定の条件に基づいて、記憶部２６に記憶された運用データから後述する改善指標算出部３０に用いられる運用データを検索する検索部２８とを有する。所定の条件は、期間、運転モード、管理温度、設定温度、そして部屋の用途などの条件を含む。具体的には、中央監視センタ１６に設置されるモニタ（図示せず）に、図２に示されるような検索画面が表示され、この画面に所定の条件を入力して検索を実行させることにより、検索部２８が、入力された条件に該当する空調機１４を検索し、検索画面に検索結果が表示される。なお、本実施形態の検索画面には、検索条件に該当する空調機１４の件数が表示される場合について説明したが、この構成に限らず、該当する空調機１４の運用データを表示してもよい。
【００３７】
また、中央監視センタ１６は、運用データに基づいて、空調機１４の運用の改善指標Ｓを算出する改善指標算出部３０と、改善指標算出部３０により算出された改善指標Ｓに基づいて、空調機１４の順位を付ける空調機順位付部３２と、空調機順位付部３２により順位を付けられた空調機の一覧を出力する出力部３４とを有する。改善指標Ｓとは、空調機１４の運用を改善する必要性を視覚的に把握するために目印となる数値であり、空調機１４の運用の改善度合いを示す数値と、空調機１４の省エネの貢献度合いを示す数値とを含む。
【００３８】
改善指標算出部３０が改善指標Ｓを算出する算出方法について詳述する。改善指標算出部３０は、運転モードと、管理温度と設定温度との温度差（以降、単に温度差と記す）と、温度差が生じている間の空調機の運転時間である管理温度外運転時間とに基づいて改善指標Ｓを算出する。
【００３９】
具体的には、改善指標算出部３０は、温度差と管理温度外運転時間を掛け合わせて改善指標Ｓを算出する。つまり、改善指標算出部３０は、温度差または管理温度外運転時間が増大するにつれ、または温度差と管理温度外運転時間がともに増大するにつれて数値が大きくなるように改善指標Ｓを算出する。温度差は、管理温度と設定温度の差であり、この値は管理基準からの乖離度合いを示す。そして、管理温度外運転時間は、温度差、すなわち管理基準からの乖離が生じている間の空調機の運転時間である。したがって、改善指標算出部３０は、温度差と管理温度外運転時間を掛け合わせることにより、温度差である乖離度合いに重みを付け加えた数値である改善指標Ｓを算出することができる。
【００４０】
図３は、改善指標算出部３０の算出方法の一例を示す図である。空調機１４は、運転モードが冷房運転に設定され、管理温度が２２度に設定されている。図３に示されるように、この空調機１４は、設定温度が管理温度より低い２１度に設定されているので、温度差は１度である。そして、この温度差のときの運転時間、すなわち管理温度外運転時間が５時間である。改善指標算出部３０は、温度差（１度）と管理温度外運転時間（５時間）を掛け合わせて、改善指標Ｓ（５）を算出する。また、この空調機１４は、その後、設定温度が管理温度より低い２０度に設定されているので、温度差は２度である。そして、この温度差のときの運転時間、すなわち管理温度外運転時間が４時間である。改善指標算出部３０は、温度差（２度）と管理温度外運転時間（４時間）を掛け合わせて、改善指標Ｓ（８）を算出する。そして、算出された２つの改善指数Ｓを加算することにより、この空調機１４の運用の改善指標Ｓ（１３）が算出される。なお、改善指標Ｓの単位は省略する。
【００４１】
本実施形態の改善指標算出部３０は、温度差と管理温度外運転時間を掛け合わせて改善指標Ｓを算出する場合について説明したが、この構成に限定されない。上述したように、温度差は、管理基準からの乖離度合いを示すものであるので、この温度差のみを用いて改善指標Ｓを算出することもできる。また、温度差と管理温度外運転時間を単に掛け合わせるだけではなく、温度差である乖離度合いにさらに重みを付け加えるため、管理温度外運転時間に応じた係数をさらに掛け合わせることもできる。
【００４２】
そして、改善指標算出部３０は、同一の運転モードである場合、管理温度が設定温度より高いときに算出される改善指標Ｓと、管理温度が設定温度より低いときに算出される改善指標Ｓとには異なる符号をそれぞれ付け加える。これにより、改善指標算出部３０は、改善指標Ｓを、空調機１４の運用の改善度合いを示す数値と、空調機１４の省エネの貢献度合いを示す数値とに分けることができる。
【００４３】
具体的には、改善指標算出部３０は、運転モードが冷房であり、かつ管理温度が設定温度より高い場合と、運転モードが暖房であり、かつ管理温度が設定温度より低い場合とに算出される改善指標Ｓには同じ符号、例えば「−」を付け加える。運転モードが冷房の場合、管理温度が設定温度より高い、言い換えれば設定温度が管理温度より低く設定された空調機１４は、管理基準時の運用に比べ無駄なエネルギ消費をしている。したがって、この空調機１４の運用データに基づいて算出される改善指標Ｓは、空調機１４の運用の改善度合いを示す数値となり、その改善指標には、例えば「−」を付け加える。同様に、運転モードが暖房の場合、管理温度が設定温度より低い、言い換えれば設定温度が管理温度より高く設定された空調機１４は、管理基準時の運用に比べ無駄なエネルギ消費をしている。したがって、この空調機１４の運用データに基づいて算出される改善指標Ｓは、空調機１４の運用の改善度合いを示す数値となり、その改善指標には、例えば「−」を付け加える。
【００４４】
一方、改善指標算出部３０は、運転モードが冷房であり、かつ管理温度が設定温度より低い場合と、運転モードが暖房であり、かつ管理温度が設定温度より高い場合とに算出される改善指標Ｓには同じ符号、例えば「＋」を付け加える。運転モードが冷房の場合、管理温度が設定温度より低い、言い換えれば設定温度が管理温度より高く設定された空調機１４は、管理基準時の運用に比べ少ないエネルギ消費で運転している。したがって、この空調機１４の運用データに基づいて算出される改善指標Ｓは、空調機１４の省エネの貢献度合いを示す数値となり、その改善指標には、例えば「＋」を付け加える。同様に、運転モードが暖房の場合、管理温度が設定温度より高い、言い換えれば設定温度が管理温度より低く設定された空調機１４は、管理基準時の運用に比べ少ないエネルギ消費で運転している。したがって、この空調機１４の運用データに基づいて算出される改善指標Ｓは、空調機１４の省エネの貢献度合いを示す数値となり、その改善指標には、例えば「＋」を付け加える。
【００４５】
空調機順位付部３２は、同じ符号を付された改善指標Ｓごとに、空調機１４の順位をそれぞれ付ける。すなわち、空調機順位付部３２は、空調機１４の運用の改善度合いを示す数値である改善指標Ｓ、例えば「−」の符号が付された改善指標Ｓと、空調機１４の省エネの貢献度合いを示す数値である改善指標Ｓ、例えば「＋」の符号が付された改善指標Ｓとに分けて、空調機１４の順位を付ける。このとき、分けられた改善指標Ｓを降順にそれぞれ並べることにより、空調機１４が各度合いの重要度が高い順に並ぶので、対策が必要な空調機１４の優先順位を容易に把握することができる。
【００４６】
出力部３４は、改善指標Ｓに付与される符号に基づいて、運用の改善度合いが高い空調機１４の一覧と、省エネの貢献度合いが高い空調機１４の一覧とを出力する。すなわち、出力部３４は、「−」の符号が付された改善指標Ｓにより順位を付けられた空調機１４の一覧を、運用の改善度合いが高い空調機１４の一覧として出力する。一方、出力部３４は、「＋」の符号が付された改善指標Ｓにより順位を付けられた空調機１４の一覧を、省エネの貢献度合いが高い空調機１４の一覧として出力する。
【００４７】
図４に、出力部３４により出力された空調機１４の一覧を示す。なお、運用の改善度合いが高い空調機１４の一覧を挙げ、この一覧について説明する。図４に示されるように、「−」の符号が付された改善指標Ｓが降順に並べられて空調機１４の順位が付けられている。このように出力部３４により出力された空調機１４の一覧により、管理者は、空調機１４の運用を改善する必要性を視覚的に把握することができる。また、図４に示されるように、一覧には、「詳細データ」の項目があり、その項目の表示を選択することで、選択された空調機の詳細な運用データ（この一覧に載せていない運用データ）を出力することができる。なお、出力部３４は、空調機１４の一覧を中央監視センタ１６のモニタに出力、すなわち表示してもよく、プリンタにより出力してもよい。
【００４８】
本実施形態のシステム１０によれば、運用の改善を必要とする空調機１４が、数値化された改善指標Ｓにより順位を付けられるので、この順位付けられた空調機１４の運用について改善する必要があることが容易に把握することができるとともに、対応すべき優先度も明確に把握することができる。また、このシステム１０によれば、省エネに貢献している空調機１４が、数値化された改善指標Ｓにより順位を付けられるので、この順位付けられた空調機１４の運用については改善する必要が無いことが容易に把握することができるとともに、これらの空調機１４の運用を参考にして、他の空調機１４の運用の改善に役立てることにより、省エネの推進を図ることができる。
【００４９】
次に、別の態様の改善指標算出部３０の算出方法について説明する。なお、改善指標算出部３０以外の構成要素の機能は、上記実施形態と同じ変わらないので、詳細な説明は省略する。
【００５０】
改善指標算出部３０は、運転モードと、所定の管理時間外における空調機の運転時間である管理時間外運転時間と、この運転時間の時間帯における外気温度とに基づいて改善指標Ｓを算出する。管理時間外とは、例えば残業など勤務時間外や店舗の営業時間外などのことである。管理時間外の空調機１４の運用は、管理時間内のみの運用に比べ無駄なエネルギ消費をするものである。したがって、改善指標算出部３０により上述の運用データに基づいて算出される改善指標Ｓは、空調機１４の運用の改善度合いを示す数値である。
【００５１】
具体的には、改善指標算出部３０は、運転モードが冷房である場合、管理時間外運転時間または外気温度が大きくなるにつれて、または管理時間外運転時間と外気温度がともに大きくなるにつれて数値が大きくなるように改善指数を算出する。一方、改善指標算出部３０は、運転モードが暖房である場合、管理時間外運転時間が大きくなるにつれて、または外気温度が小さくなるにつれて数値が大きくなるように改善指数を算出する。さらに、改善指標算出部３０は、運転モードが暖房である場合、管理時間外運転時間が大きくなるともに外気温度が小さくなるにつれて数値が大きくなるように改善指数を算出する。管理時間外運転時間は、上述したように管理時間外における空調機の運転時間であるため、この時間の長さが管理基準からの乖離度合いを示す。そして、外気温度は、一般的に、空調負荷に反映される。すなわち、運転モードが冷房である場合、外気温度が高くなるについて空調負荷が大きくなり、運転モードが暖房である場合、外気温度が低くなるについて空調負荷が大きくなる。空調負荷が大きくなると空調機１４のエネルギ消費も大きくなる。よって、管理時間外運転時間帯における外気温度を考慮することにより、管理時間外運転時間である乖離度合いに重みを付け加えた数値である改善指標Ｓを算出することができる。これにより、改善指標算出部３０は、空調機１４の運用の改善度合いを示す数値である改善指標Ｓを算出することができる。
【００５２】
この態様の改善指標算出部３０は、運用データとして、運転モードと、管理時間外運転時間と、この運転時間の時間帯における外気温度とを用いて、改善指標Ｓを算出する場合について説明したが、この構成に限定されない。上述したように、管理時間外運転時間は、管理基準からの乖離度合いを示すものであるので、この時間のみを用いて改善指標Ｓを算出することもできる。
【００５３】
本実施形態においては、システム１０が、遠隔から監視される建物１２に設けられる空調機１４の運用を管理する装置である場合について説明したが、この構成に限定されず、一つの建物に配置され、この建物の空調機の運用をローカルで管理するシステムであってもよい。
【００５４】
本実施形態においては、検索部２８により検索された空調機１４の運用データを用いて改善指標Ｓを算出する場合について説明したが、この構成に限定されず、検索部２８による検索を行わずに、空調機管理部２０により収集された運用データを全て用いて改善指標Ｓを算出することもできる。
【００５５】
本実施形態においては、中央監視センタ１６に設置されるモニタ（図示せず）に、所定の条件を入力して検索を実行させることにより、検索部２８が、入力された条件に該当する空調機１４を検索する場合について説明したが、この構成に限定されない。所定の条件は、運用データを検索対象から除外する除外条件を含み、検索部は、入力された除外条件に対応する運用データを検索対象から除外して、空調機を検索することができる。除外条件とは、利用者の止むを得ない事情により管理基準外での空調機の運転を余儀なくされる場合の条件であり、例えば研修による人員増や管理時間外運転、酷暑や酷寒時の運転などである。
【符号の説明】
【００５６】
１０  空調機運用管理システム、１２  建物、１４  空調機、１６  中央監視センタ、１８  通信回線、２０  空調機管理部、２６  記憶部、２８  検索部、３０  改善指標算出部、３２  空調機順位付部、３４  出力部。
【図１】
2011012873.tif 000003
【図２】
2011012873.tif 000004
【図３】
2011012873.tif 000005
【図４】
2011012873.tif 000006